(57)【要約】  【課題】  大光量を発生させても装着者に熱又は高温負荷を与えることなく、しかも常に装着者の前方を照明することのできる、頭部装着用LED照明装置を提供する。  【解決手段】  頭部に装着する頭部装着部１１と、頭部装着部１１の前方に固定した照明装置部１２とを備える頭部装着LED照明装置１０であって、該照明装置部１２が頭部より前方に突出し、その前面にはLED発光ユニット１３が設けられているとともに、その上下には放熱用の孔１４が設けられていることを特徴とする。【選択図】  図１
2005085639.tif 000002
【特許請求の範囲】
【請求項１】
LED発光ユニットを庇部の前面に設けたことを特徴とする頭部装着LED照明装置。
【請求項２】
頭部に装着する頭部装着部と、頭部装着部の前方に固定した照明装置部とを備える頭部装着LED照明装置であって、該照明装置部が頭部より前方に突出し、その前面にはLED発光ユニットが設けられているとともに、その上下には放熱用の孔が設けられていることを特徴とする頭部装着LED照明装置。
【発明の詳細な説明】
【技術分野】
【０００１】
本発明は、人間の頭部に装着することによりその前方を照明する、頭部装着用LED照明装置に関する。
【背景技術】
【０００２】
手術用の照明を主目的として、本発明人らは既に、眼前に装着するゴーグル型のLED照明装置について特許出願を行った（特許文献１）。
【特許文献１】特開2002-150803号公報
【発明の開示】
【発明が解決しようとする課題】
【０００３】
しかし、上記ゴーグル型LED照明装置は眼前装着タイプであるため、発熱体であるLEDが眼のすぐ近くに存在する。従って、照明装置の発光量を増加すればするほどLEDの発熱量が増大し、眼のすぐ近くで熱が発生するという問題が生ずる。
【課題を解決するための手段及び効果】
【０００４】
本発明は、大光量を発生させても装着者に熱又は高温負荷を与えることなく、しかも常に装着者の前方を照明することのできる、頭部装着用LED照明装置を提供するものである。
【０００５】
上記課題を解決するために成された本発明に係る頭部装着LED照明装置は、LED発光ユニットを庇部の前面に設けたことを特徴とするものである。
【０００６】
このように、本発明に係るLED照明装置では、装置全体を頭部装着型とした上で、LED発光ユニットを庇部の前面に設けているため、発熱体であるLEDが眼から離れ、その熱の影響が眼に及びにくいようになっている。従って、LEDの発光量をかなり高めても、眼に熱的或いは温度上の負担が掛かることがない。また、頭部に装着するものであるため、常に装着者の視線の方向を照明するという特長も当然備えている。
【０００７】
また、本発明の別の態様のものは、頭部に装着する頭部装着部と、頭部装着部の前方に固定した照明装置部とを備える頭部装着LED照明装置であって、該照明装置部が頭部より前方に突出し、その前面にはLED発光ユニットが設けられているとともに、その上下には放熱用の孔が設けられていることを特徴とする。
【０００８】
本態様の頭部装着LED照明装置は、上記特徴（上記態様の庇が本態様では照明装置部に相当する）に加え、照明装置部（庇）の上下に放熱用の孔が設けられているため、LED発光ユニットで発生した熱が効果的に放出される。従って、更に大光量の照明装置とすることができる。
【０００９】
本態様の頭部装着LED照明装置は、例えば自転車やバイク等で夜間走行する場合に、その特長を最も生かした使い方をすることができる。すなわち、前方を明るく照明することができるとともに、走行により空気流が照明装置上下の孔を流通するため、放熱がより効果的に行われる。この場合、ヘルメットに本発明に係る頭部装着LED照明装置（特に、その照明装置部）を固定してもよい。
【００１０】
また、従来よりも大光量が得やすいため、大光量が要求される医療用途において本発明に係る頭部装着LED照明装置は好適に使用することができる。特に、従来のゴーグル型の照明装置と比較した場合、本発明に係る照明装置ではLED発光ユニットが左右に２分されることなく頭部前面に連続して配置されるため、より無影に近い照明を得ることができる。また、照明装置がより手術対象に近くなるため、同一光度の光源を使用した場合、より高い照度を得ることができる。
【００１１】
本発明に係る頭部装着LED照明装置は上記の他に、介護・救急医療現場、歯科治療時、宇宙ステーション、警備・夜間作業、ナイトスキー、スキューバダイビング、自室での読書等、種々の用途に使用することが可能である。
【実施例１】
【００１２】
本発明の第１実施例を図１及び図２に示す。図１は本実施例に係る頭部装着LED照明装置１０の斜視図であり、略環状の部材である頭部装着部１１に照明装置部（庇部）１２が固定されたものである。なお、デザイン上、両者は一体として形成されている。図１に示すように、照明装置部１２の前面にはLED発光ユニット１３が装着され、照明装置部１２の上下には（下は図１には表れていない）放熱用の孔１４が多数設けられている。本実施例の頭部装着LED照明装置１０の平面図、正面図及び側面図をそれぞれ図２(a)、(b)、(c)に示す。なお、これらの図に示した寸法はあくまで一例であり、状況に応じて変更されるべきであるのは当然である。
【００１３】
照明装置部１２の下部に設けた透明のアイシールド１５は、取付・取り外しが可能であり、本実施例の頭部装着LED照明装置１０はこれを取り外した状態で使用することも可能である。
【００１４】
照明装置部１２の内部には、音声認識用のマイクが内蔵されており、装着者の音声による指示により、ON/OFF及び発光量の調節が可能となっている。
【００１５】
LED発光ユニット１３の外観を図３に示す。本実施例においては、LED発光ユニット１３は17個のパワー白色LEDモジュール１６を2列に配置して構成されている。その上面（或いは前面）は複眼型非球面プラスティックレンズ１７で覆われ、各LEDモジュール１６から放射される光が装着者の前方に集中して放射されるようになっている。この複眼型非球面プラスティックレンズ１７により、従来の2倍の照度が得られるようになっている。
１個のLEDモジュール１６の外観を図４に示す。本実施例では、駆動電圧3.77V、駆動（最大）電流350mA、全光束47lm（ルーメン）、全出力147mWの大光量LEDモジュール１６を使用している。この発光量は、従来の同様のLEDモジュールの4倍となっている。以上より、本実施例の照明装置は、目的箇所において従来の10倍程度の照度が得られるようになっている。
【実施例２】
【００１６】
本発明の第２実施例である頭部装着LED照明装置２０を図５〜図９に示す。図５(a)はその斜視図であり、基本的な構成は上記第１実施例のものと同様、頭部装着部２１に照明装置部（庇部）２２が固定された構成を有する。なお、本実施例では、頭部装着部２１と照明装置部２２との角度は左右のネジ２１１、２１２により調整可能となっており、頭部装着部２１をずらすことなく、任意の位置を照射することが可能となっている。また、本実施例の頭部装着LED照明装置２０では、頭部装着部２１は２本のアーム２１３、２１４から成る。これらのアーム２１３、２１４は同一のものであり、これにより製造コストの低減が可能となっている。各アーム２１３、２１４はスライダ２１５、２１６により伸縮及び固定自在となっており、これにより、本実施例の頭部装着LED照明装置２０はいかなるサイズの装着者の頭部へも装着することが可能となっている。
【００１７】
照明装置部２２の前面には、第１実施例と同様にLED発光ユニット２３が固定されている。その構成は、図３、図４に示した第１実施例のものと同様である。また、照明装置部２２の上下には放熱孔２４が設けられている。照明装置部２２の下部に設けた透明のアイシールド２５（図６〜図９）は、取付・取り外しが可能であり、本実施例の頭部装着LED照明装置２０はこれを取り外した状態で使用することも可能である（図５は取り外した状態を示している）。
【００１８】
照明装置部２２は、コードにより電源ユニット２６に接続される。電源ユニット２６には、充電可能な電池２６１が装着可能となっている。また、ON/OFFスイッチ２６２及び発光量調節用のつまみ２６３が設けられている。
【００１９】
本第２実施例の頭部装着LED照明装置２０においても、上記第１実施例と同様、照明装置部２２の内部には、音声認識用のマイクが内蔵されており、装着者の音声による指示によってもON/OFF及び発光量の調節が可能となっている。
【図面の簡単な説明】
【００２０】
【図１】本発明の第１実施例である頭部装着LED照明装置の斜視図。
【図２】第１実施例の頭部装着LED照明装置の平面図(a)、正面図(b)及び側面図(c)。
【図３】第１実施例及び第２実施例の頭部装着LED照明装置で用いたLED発光ユニットの斜視図。ただし、LEDの表面に実装する複眼型非球面プラスティックレンズをやや離した状態を示している。
【図４】LED発光ユニットを構成する１個のLEDモジュールの斜視図。
【図５】本発明の第１実施例である頭部装着LED照明装置の斜視図であり、(a)は電源ユニットを外した状態で左上方から見た図、(b)は電源ユニットを接続した状態で右上方から見た図。
【図６】第２実施例の頭部装着LED照明装置の斜視図。
【図７】第２実施例の頭部装着LED照明装置の正面図。
【図８】第２実施例の頭部装着LED照明装置の平面図。
【図９】第２実施例の頭部装着LED照明装置の側面図。
【符号の説明】
【００２１】
１０、２０…頭部装着LED照明装置
１１、２１…頭部装着部
１２、２２…照明装置部
１３、２３…LED発光ユニット
１４、２４…放熱孔
１５、２５…アイシールド
１６…パワー白色LEDモジュール
１７…複眼型非球面プラスティックレンズ
２６…電源ユニット
２６１…電池
２６２…ON/OFFスイッチ
２６３…発光量調節つまみ
【図１】
2005085639.tif 000003
【図２】
2005085639.tif 000004
【図３】
2005085639.tif 000005
【図４】
2005085639.tif 000006
【図５】
2005085639.tif 000007
【図６】
2005085639.tif 000008
【図７】
2005085639.tif 000009
【図８】
2005085639.tif 000010
【図９】
2005085639.tif 000011